(57)【要約】【課題】  ドライヤー本体を垂直面内及び水平面内の何れの方向へも容易に旋回可能として使い勝手を向上させたペット用ドライヤーを提供すること。【解決手段】  電動モータ３３で駆動回転されるファン３４により発生する風をヒータ手段３５で加熱して吹出口３７から温風が吹き出されるように設けたドライヤー本体３０を、スタンド１の上部に取付けた二又形の支持体８に垂直面内で旋回可能に設けたペット用ドライヤーにおいて、支持体８はスタンド１に固定される固定支持部材９の上に、ドライヤー本体３０を支持する二又形の可動支持部材１５を配置し、かつ、少なくとも１個の皿バネ２１を介装したボルト部材２０を可動支持部材側から挿入して固定支持部材９に螺着することにより、ドライヤー本体３０を垂直面内及び水平面内の何れの方向へも旋回可能可能とした。【選択図】  図１
0003111694.tif 000002
【実用新案登録請求の範囲】
【請求項１】
電動モータで駆動回転されるファンにより発生する風をヒータ手段で加熱して吹出口から温風が吹き出されるように設けられたドライヤー本体を、スタンドの上部に取付けられた二又形の支持体に垂直面内で旋回可能に設けたペット用ドライヤーにおいて、
前記支持体については、前記スタンドに固定される固定支持部材の上に、前記ドライヤー本体を支持する二又形の可動支持部材を配置し、かつ、少なくとも１個の皿バネを介装したボルト部材を該可動支持部材側から挿入して前記固定支持部材に螺着することにより可動支持部材を水平面内で旋回可能に設け、前記ドライヤー本体を垂直面内及び水平面内の何れの方向へも旋回可能に構成したことを特徴とするペット用ドライヤー。
【請求項２】
前記固定支持部材と可動支持部材との圧接部、及び最下位の前記皿バネと可動支持部材との圧接部に軸受け部材を夫々介装したことを特徴とする請求項１に記載のペット用ドライヤー。
【考案の詳細な説明】
【技術分野】
【０００１】
本考案は、犬や猫等の愛玩動物を対象とするペット美容室等で用いられるペット用ドライヤーに関するものである。
【背景技術】
【０００２】
従来のペット用ドライヤーは、例えば、実用新案登録第３０６３６８２号公報に記載されているように、キャスターを備えたスタンドの上部に外側から挿入して締付けボルトにより固定された二又形の支持体に、電動モータで駆動回転されるファンにより発生する風をヒータ手段で加熱して吹出管から温風が吹き出されるように設けられたドライヤー本体を取付け、そのドライヤー本体を垂直面内で旋回可能に設けた構造とされている。
【０００３】
そのドライヤー本体は、垂直面内のみ旋回可能とされており、水平面内を旋回することができるようには設けられていない。このため、使用者によってドライヤー本体を無理に水平方向に旋回させることが頻繁に行われると、前記締付けボルトやスタンドが変形してしまうなどの損傷を生じることになる。さらには、ペットの体毛等を乾燥している最中にはドライヤー本体を水平方向に簡単に旋回移動させることができないことから、使用者にとって使い勝手が良くなかった。
【特許文献１】実用新案登録第３０６３６８２号公報
【考案の開示】
【考案が解決しようとする課題】
【０００４】
この考案の目的は、ドライヤー本体を垂直面内及び水平面内の何れの方向へも容易に旋回可能として使い勝手を向上させたペット用ドライヤーを提供することにある。
【課題を解決するための手段】
【０００５】
請求項１に記載の考案は、電動モータで駆動回転されるファンにより発生する風をヒータ手段で加熱して吹出口から温風が吹き出されるように設けられたドライヤー本体を、スタンドの上部に取付けられた二又形の支持体に垂直面内で旋回可能に設けたペット用ドライヤーにおいて、
前記支持体については、前記スタンドに固定される固定支持部材の上に、前記ドライヤー本体を支持する二又形の可動支持部材を配置し、かつ、少なくとも１個の皿バネを介装したボルト部材を該可動支持部材側から挿入して前記固定支持部材に螺着することにより可動支持部材を水平面内で旋回可能に設け、前記ドライヤー本体を垂直面内及び水平面内の何れの方向へも旋回可能に構成したことを特徴とするものである。
【０００６】
請求項２に記載の考案は、請求項１に記載のペット用ドライヤーにおいて、前記固定支持部材と可動支持部材との圧接部、及び下位の前記皿バネと可動支持部材との圧接部に軸受け部材を夫々介装したことを特徴とするものである。
【考案の効果】
【０００７】
このペット用ドライヤーは、ドライヤー本体を垂直面内及び水平面内の何れの方向へも旋回可能に構成しているので、愛玩動物の乾燥作業が円滑に行えて大変使い勝手が良い。さらには、ドライヤー本体を支持する可動支持部材と固定支持部材との圧接部に軸受け部材を介装しているので、ドライヤー本体の水平面内の移動操作を軽快に行うことができる。
【考案を実施するための最良の形態】
【０００８】
以下に、本考案の最良の形態例を図面に基づいて説明する。図１はペット用ドライヤーの全体図、図２は支持体の一部を破断して示す側面図である。
【０００９】
図１において、本考案のペット用ドライヤーＤのスタンド１は、縦向きの主管２の下部から四方に延びる脚部３の下面にキャスター４を夫々取付け、その主管２に挿入された支柱５を固定ボルト６により締付けて適宜高さに固定するように設けている。なお、その支柱５については、高さ調節可能とされていることは言うまでもない。
【００１０】
その支柱５の上部には、ドライヤー本体３０を支持する支持体８を取り付けている。
詳しくは、その支持体８の固定支持部材９は、ほぼコップを伏せたような形態として上面９ａを平坦に形成し、上記支柱５に遊嵌するための所定深さの縦向きの大径の段付き穴１１の上部に小径の通し穴１２を同心位置に連通するように形成している。１３は固定支持部材９の側部９ｂに螺合するように設けられた固定ボルトである。
【００１１】
１５は上記固定支持部材９の上に配置された二又形の可動支持部材である。その可動支持部材１５は、中心に形成された縦向きの通し穴１６に軸受け部材１８を嵌着し、その下部に所定深さの凹部１７を形成している。しかして、４個の皿バネ２１とワッシャー２２を順に介装したボルト部材２０を縦向きの通し穴１６に挿入して上記固定支持部材９の上面９ａと当該可動支持部材１５の凹部１７との間に軸受け部材としてのスライドメタル２３を介装し、このボルト部材２０を固定支持部材９内のワッシャー２４を介してナット２５に適宜のトルクで螺着する。これにより、可動支持部材９は、スタンド１に固定された固定支持部材９に対して水平面内で旋回可能に設けられる。
【００１２】
可動支持部材１５の上方の二又部分１５ａには支持杆２６を夫々取付け、その支持杆２６の先端にドライヤー本体３０の回動部材３１を装着する。これにより、ドライヤー本体３０を二又形の可動支持部材１５に垂直面内で旋回可能に設ける。
しかして、ドライヤー本体３０は、垂直面内及び水平面内の何れの方向へも旋回可能に構成される。
【００１３】
ドライヤー本体３０は、ケース３２内に設置された電動モータ３３で駆動回転されるファン３４により発生する風をヒータ手段３５で加熱して吹出し管３６の先端の吹出口３７から温風が吹き出されるように設けられている。
【００１４】
つぎに、上記構成になる本考案のペット用ドライヤーＤの作用について述べる。
ペットの体毛等を乾燥している最中にドライヤー本体３０の吹出し管３６の向きを変更する場合には、支持杆２６を掴んで垂直方向若しくは水平方向の何れの方向にでも動かすことにより、吹出し管３６の向きを任意の方向へ簡単に移動させることができる。
【００１５】
なお、吹出口３７は吹出し管３６に回動自由に設けられているので、吹出し管３６の向きの変更と同時に吹出口３７の向きを変えれば適切な箇所に温風を吹き出させることができる。
【００１６】
以上に述べた通り、このペット用ドライヤーは、ドライヤー本体を垂直面内及び水平面内の何れの方向へも旋回可能に構成しているので、愛玩動物の乾燥作業を円滑に行うことができ、大変使い勝手が良いという利点がある。
【図面の簡単な説明】
【００１７】
【図１】ペット用ドライヤーの全体図
【図２】支持体の一部を破断して示す側面図
【符号の説明】
【００１８】
Ｄ・・・本考案のペット用ドライヤー
１・・・スタンド  ５・・・支柱
８・・・支持体
９・・・固定支持部材
１５・・・可動支持部材
１８，２３・・・軸受け部材
２０・・・ボルト部材
２１・・・皿バネ
２５・・・ナット
３０・・・ドライヤー本体
３３・・・電動モータ  ３４・・・ファン
３５・・・ヒータ手段  ３７・・・吹出口
【図１】
0003111694.tif 000003
【図２】
0003111694.tif 000004